(57)【特許請求の範囲】
【請求項１】
スピーカユニットと、該スピーカユニットを収容したハウジング部と、を有するヘッドホンにおいて、
前記スピーカユニットはその背面にｎ個（ｎは２以上の整数）の第１の開口部を有し、
前記ハウジング部はその内外を連通する複数の第２の開口部を有し、
ｋ１個目（１≦ｋ１≦ｎ：ｋ１は整数）の第１の開口部Ａ１ｋ１と、その前記第１の開口部Ａ１ｋ１に最も近い第２の開口部Ａ２ｋ１との距離は第１の距離であり、
ｋ２個目（１≦ｋ２≦ｎ：ｋ２は整数）の第１の開口部Ａ１ｋ２と、その前記第１の開口部Ａ１ｋ２に最も近い第２の開口部Ａ２ｋ２との距離は第１の距離より長い第２の距離であり、
前記第２の開口部Ａ２ｋ１の開口面積は前記第１の開口部Ａ１ｋ１の開口面積よりも大きく、
前記第２の開口部Ａ２ｋ２の開口面積は前記第１の開口部Ａ１ｋ２の開口面積よりも大きく、
前記第１の距離は、前記第２の開口部Ａ２ｋ１の開口面積に対する前記第１の開口部Ａ１ｋ１の開口面積の比に比例し、
前記第２の距離は、前記第２の開口部Ａ２ｋ２の開口面積に対する前記第１の開口部Ａ１ｋ２の開口面積の比に比例し、
前記第２の開口部Ａ２ｋ１の開口面積に対する前記第１の開口部Ａ１ｋ１の開口面積の比である第１の開口面積比は、前記第２の開口部Ａ２ｋ２の開口面積に対する前記第１の開口部Ａ１ｋ２の開口面積の比である第２の開口面積比よりも小さいことを特徴とするヘッドホン。
【請求項２】
前記第２の開口面積比の値に対する前記第１の開口面積比の値の比は、前記第２の距離に対する前記第１の距離の比と等しいことを特徴とする請求項１記載のヘッドホン。
【請求項３】
前記ハウジング部は、前記第１の開口部に対して前記第２の開口部よりも離れた位置に一つの又は複数の開口部よりなる第３の開口部を有し、
前記第１の開口部の総開口面積をＳＡｔとし、
前記第２の開口部の総開口面積をＳＡ１０ｔとし、
前記第３の開口部の開口面積をＳＳとした際に、
ＳＡ１０ｔ＋ＳＳ＜ＳＡｔ
であることを特徴とする請求項１又は２に記載のヘッドホン。
【発明の詳細な説明】
【技術分野】
【０００１】
本発明は、ヘッドホンに係り、その音質を改善する技術に関する。
【背景技術】
【０００２】
ヘッドホンは、構造として、背面側が開放された開放型と背面側が密閉された密閉型とがあり、互いに全く異なる設計思想で設計される。
例えば、開放型のヘッドホンは、スピーカユニットの振動板に空気の負荷がかからない状態で最良の音質になるようにそのスピーカユニットや筐体が設計され、密閉型のヘッドホンは、スピーカユニットの振動板に背面側の圧力を付与して最良の音質になるようそのスピーカユニットや筐体が設計される。
この密閉型のヘッドホンにおいては、スピーカユニットの背面側の圧力を最適化して音質を向上させるために、スピーカユニットを収容したハウジングに圧力調整孔を設ける場合がある（特許文献１に記載された穴４４が相当）。
一方、スピーカユニットにおいても、その筐体の背面に開口部を有するものがある（特許文献２に記載されたヘッドホン装置のスピーカユニット２が相当）。
この開口部は、一般に、スピーカユニットに設けられた振動板の背面側圧力を最適化して音質を向上させる目的で設けられる。
【０００３】
【特許文献１】特開２００１−２１１４９１号公報
【特許文献２】特開２００６−２２２４９２号公報
【発明の開示】
【発明が解決しようとする課題】
【０００４】
ところで、上述したような、筐体の背面に開口を有するスピーカユニットを圧力調整孔が形成されたハウジング内に収容する組み合わせも従来行われていたが、ヘッドホンとして完全な開放型ではなく密閉型に準じた構造として設計され、音質調整のためにハウジングを設ける必要がある場合、あるいは、デザイン上、外部への音漏れが大きいとの印象を与えないようにしたい場合には、できるだけ目立たない位置などに圧力調整孔を設けるのが一般的であった。
例えば、ケーブルの引き出し部近傍、ハウジングの側面、などであり、ヘッドバンドを備えたヘッドホンではそのヘッドバンドに隠れる位置である。
逆に、外観デザイン上のアクセントとして視認し易い場所に意図的に目立つように設けることも行われていた。
【０００５】
このように、ハウジングの圧力調整孔は、外観デザインの観点からその位置や形状が決定される場合が多く、スピーカユニットの筐体背面における開口部とハウジングの圧力調整孔との相対的な位置関係や形状の関係については、十分な配慮がなされていなかった。
【０００６】
そのため、スピーカユニットの振動板の振動に伴って生じる、スピーカユニットの背面側、すなわち、ハウジング内部の圧力分布に、顕著なばらつき（偏り）が生じてしまう場合があった。
この場合、ハウジング内部の圧力が振動板を制動する際の制動力は、振動板の部位によって異なり、振動板が一様に振動し難くなって音質が低下する、という問題が生じる。
特に、近年、携帯音楽プレーヤの普及に伴い、ユーザのヘッドホンに対する高音質化要望も大変強くなっているため、この問題を解決することが強く望まれてきている。
【０００７】
そこで、本発明が解決しようとする課題は、スピーカユニットの背面側の圧力により振動板に付与される制動力を均一にして高音質を得ることができるヘッドホンを提供することにある。
【課題を解決するための手段】
【０００８】
上記の課題を解決するために、スピーカユニットと、該スピーカユニットを収容したハウジング部と、を有するヘッドホンにおいて、前記スピーカユニットはその背面にｎ個（ｎは２以上の整数）の第１の開口部を有し、前記ハウジング部はその内外を連通する複数の第２の開口部を有し、
ｋ１個目（１≦ｋ１≦ｎ：ｋ１は整数）の第１の開口部Ａ１ｋ１と、その前記第１の開口部Ａ１ｋ１に最も近い第２の開口部Ａ２ｋ１との距離は第１の距離であり、
ｋ２個目（１≦ｋ２≦ｎ：ｋ２は整数）の第１の開口部Ａ１ｋ２と、その前記第１の開口部Ａ１ｋ２に最も近い第２の開口部Ａ２ｋ２との距離は第１の距離より長い第２の距離であり、
前記第２の開口部Ａ２ｋ１の開口面積は前記第１の開口部Ａ１ｋ１の開口面積よりも大きく、
前記第２の開口部Ａ２ｋ２の開口面積は前記第１の開口部Ａ１ｋ２の開口面積よりも大きく、
前記第１の距離は、前記第２の開口部Ａ２ｋ１の開口面積に対する前記第１の開口部Ａ１ｋ１の開口面積の比に比例し、
前記第２の距離は、前記第２の開口部Ａ２ｋ２の開口面積に対する前記第１の開口部Ａ１ｋ２の開口面積の比に比例し、
前記第２の開口部Ａ２ｋ１の開口面積に対する前記第１の開口部Ａ１ｋ１の開口面積の比である第１の開口面積比は、前記第２の開口部Ａ２ｋ２の開口面積に対する前記第１の開口部Ａ１ｋ２の開口面積の比である第２の開口面積比よりも小さいことを特徴とするヘッドホンを提供する。
また、前記第２の開口面積比の値に対する前記第１の開口面積比の値の比は、前記第２の距離に対する前記第１の距離の比と等しくてもよい。
また、前記ハウジング部は、前記第１の開口部に対して前記第２の開口部よりも離れた位置に一つの又は複数の開口部よりなる第３の開口部を有し、前記第１の開口部の総開口面積をＳＡｔとし、前記第２の開口部の総開口面積をＳＡ１０ｔとし、前記第３の開口部の開口面積をＳＳとした際に、ＳＡ１０ｔ＋ＳＳ＜ＳＡｔであってもよい。
【発明の効果】
【０００９】
本発明によれば、スピーカユニットの背面側の圧力により振動板に付与される制動力を均一にして高音質を得ることができる、という効果を奏する。
【発明を実施するための最良の形態】
【００１０】
本発明の実施の形態を、好ましい実施例により図１〜図１０を用いて説明する。
【００１１】
本発明のヘッドホンの実施例としてオーバーヘッド型のヘッドホン５０について以下に説明する。
このヘッドホン５０は、外観を図１に示すように、左右チャネル用の一対のスピーカ部１０Ｌ，１０Ｒと、ヘッドバンド部１１と、そのヘッドバンド部１１とスピーカ部１０Ｌ，１０Ｒとを連結するアーム部１２及びジョイント部１３と、頭部への装着時に補助的に頭部を押圧して装着感を向上させるサブバンド部１４と、を備えている。
【００１２】
また、各スピーカ部１０Ｌ，１０Ｒはいわゆる密閉型であり、それぞれ耳に当接するパッド部３が装着され、内部にはスピーカユニット１が収納されている。
一方のスピーカ部１０Ｌからは、外部からの音声信号を各スピーカユニット１に供給するためのコード４が延出している。
【００１３】
次に、スピーカ部１０Ｌ，１０Ｒについて説明する。この一対のスピーカ部１０Ｌ，１０Ｒは互いに対称形状なので、以下、一方のスピーカ部１０Ｌについてスピーカ部１０として説明する。
図２は、そのスピーカ部１０の斜視的断面図である。図２の下方側が、このヘッドホン５０を頭部に装着した際の足側となる。この図２において、アーム部１２，コード４，パッド部３は理解容易のために省略している。
【００１４】
スピーカ部１０は、図２の上下方向を長手とする概略半楕円体形状を呈し、バッフル板１０ａと、このバッフル板に固定されたスピーカユニット１と、このスピーカユニット１に対向する部分に円形の孔１０ｂ１を有してバッフル板１０ａに固定されたハウジング１０ｂと、その孔１０ｂ１を塞ぐようにハウジング１０ｂに固定されたバックプレート１０ｃと、を有する構成とされている。
【００１５】
この図２おいて、スピーカユニット１の断面構造は省略しており、その断面構造については、図３で説明する。
【００１６】
バッフル板１０ａは、スピーカユニット１から出力された音声を外部（図２の右方）に放出するための複数の放音孔１０ａ１が形成されている。
このバッフル板１０ａには、内部（図２の左方）に向けて突出する環状壁部１０ａ２が形成されている。
この環状壁部１０ａ２の内壁１０ａ３には、スピーカユニット１の外壁１ａがほぼ隙間なく密着し、両者は図示しない接着剤により固着されている。
【００１７】
スピーカユニット１は、図３に示すように、円盤状の基部１ｋと、その一面側に円筒状に突出する突出部１ｔと、を有する形状のフレーム１ｆを備えている。
このフレーム１ｆは、金属の薄板をプレス加工することで形成されている。
また、このフレーム１ｆは、金属の薄板ではなく、合成樹脂の射出成形により形成されていてもよい。
【００１８】
フレーム１ｆにおける他面側は開放されており、その端部１ｆ１近傍にはリング状のエッジ１ｅが固定されている。
また、エッジ１ｅの内周縁には湾曲した振動面１ｓ１を有する略円板状の振動板１ｓの外周縁が取り付けられ、振動板１ｓは、フレーム１ｆに対してエッジ１ｅを介して揺動自在に取り付けられている。
振動板１ｓの中央部には、ボイスコイル１ｂｃが巻回された円管状のボイスコイルボビン１ｂｃｂの一端が固着されている。
このボイスコイルボビン１ｂｃｂの内部には、ボイスコイル１ｂｃと対向する位置にマグネット１ｍｇが配設され、その一端面がフレーム１ｆにおける突出部１ｔの内面１ｔｎに固定されている。
ボイスコイル１ｂｃには図示しないリード線が接続されており、このリード線を介して図１で示したコード４からの音声信号が供給されることで、振動板１ｓがその軸線方向（図３の矢印Ｄ１方向）に振動して音声を出力する。
このボイスコイル回りの構造においては、ボイスコイルボビン１ｂｃｂを用いることなく、ボイスコイル１ｂｃを巻回して接着剤で円筒形状に固めたものを用いてもよい。
【００１９】
フレーム１ｆにおける振動板１ｓの振動面１ｓ１に対向する範囲には、フレーム１ｆの内側と外側とを連通する開口部１ｈが形成されている。
この実施例において、この開口部１ｈは複数の円形孔であり、それぞれ同じ直径φＣで形成され、ボイスコイルボビン１ｂｃｂの軸中心ＫＪと同心の直径φＢなる周上に等角度間隔で１８箇所設けられている。この開口部１０ｃｈは、１８箇所に限るものではない。例えば、変形例として、２５°の等間隔に片側５箇所ずつの合計１０箇所形成したものでもよい（図８参照）。
【００２０】
ここで、振動板１ｓの振動面１ｓ１とは、ボイスコイルボビン１ｂｃが固着されている部位よりも外側であり、かつ、エッジ１ｅに連接されている周縁よりも内側となる範囲を示す。
このスピーカユニット１は、その振動板１ｓとエッジ１ｅとフレーム１ｆとで囲まれた空間であるキャビティＶ１が、開口部１ｈでのみで外部と連通する構成となっている。
【００２１】
スピーカユニット１に関する具体的な寸法などの例を以下に示す。これは、上述した２５°間隔で１０箇所形成した場合の一例である。
スピーカユニット１の外径φＡ・・・４０ｍｍ
開口部１ｈの配列直径φＢ・・・３１ｍｍ
開口部１ｈの直径φＣ・・・３．３ｍｍ
開口部１ｈの総開口面積Ｓ１ｔ・・・８５．５ｍｍ2
【００２２】
図４は、バックプレート１０ｃの平面図を示す。この平面図は、ヘッドホン１０の外側から見た際の形状を示している。
【００２３】
この図４及び前出の図２に示すように、このバックプレート１０ｃは、フランジ部１０ｃ１を有して概ね円盤状に形成されており、合成樹脂の射出成形により形成されている。
そのフランジ部１０ｃ１の外周面には、このバックプレート１０ｃをハウジング１０ｂにねじで固定するための孔を有する取り付け鍔部１０ｃ２が３箇所、外側方向に突出して設けられている。
フランジ部１０ｃ１には、複数の開口部１０ｃｈが形成されている。
この開口部１０ｃｈはそれぞれが円形孔であり、いずれも同じ直径φＰＣで形成され、このバックプレート１０ｃの中心と同心の直径φＰＢなる周上に等角度間隔で１８箇所設けられている。
この開口部１０ｃｈは、ハウジング１０ｂの内部空間Ｖ２と外部空間Ｖ３とを連通するものである。
開口部１０ｃｈは、１８箇所に限るものではない。例えば、変形例として、６０°の等間隔に６箇所形成したものでもよい（図９参照）。
【００２４】
バックプレート１０ｃに関する具体的な寸法などの例を以下に示す。これは、上述した６０°間隔で６箇所形成した場合の一例である。
フランジ部１０ｃ１の外径φＰＡ・・・３６．６ｍｍ
開口部１０ｃｈの配列直径φＰＢ・・・３３ｍｍ
開口部１０ｃｈの直径φＰＣ・・・１ｍｍ
開口部１０ｃｈの総開口面積Ｓ１０ｔ・・・４．７１ｍｍ2
【００２５】
このバックプレート１０ｃは、図２に示すように、取り付け鍔部１０ｃ２を、ハウジング１０ｂの内面に設けられたボス１０ｂ２に雄ねじＮＪで締結することにより固定される。
その際、フランジ部１０ｃ１の外側となる面と、ハウジング１０ｂの内側面との間に隙間ＳＫＭ（図２参照）が形成されるように形状が設定されている。
この隙間ＳＫＭは、全周に渡るリング状に設けられ、開口部１０ｃｈと共にハウジング１０ｂの内部空間Ｖ２と外部空間Ｖ３とを連通する開口部となっている。
【００２６】
この隙間ＳＫＭの開口幅Ｗ（図２参照）は、０．７ｍｍと設定され、フランジ部１０ｃ１の外径が３６．６ｍｍとされているので、この隙間ＳＫＭの開口面積ＳＳは、２５．６ｍｍ2  となっている。
この隙間ＳＫＭは、実施例のようにリング状の一つの開口部とされているものに限らず、複数の開口部として設けられていてもよい。
【００２７】
一方、ハウジング１０ｂには、スピーカユニット１が固定されたバッフル板１０ａが、ねじ止めや接着剤による固着などにより隙間なく固定される。
従って、スピーカユニット１内のキャビティＶ１は、開口部１ｈのみでハウジング１０ｂの内部空間Ｖ２と連通し、ハウジング１０ｂの内部空間Ｖ２は、開口部１０ｃｈ及び隙間ＳＫＭでのみ、外部空間Ｖ３と連通する構成となっている。
【００２８】
ここで、スピーカユニット１の開口部１ｈと、バックプレート１０ｃの開口部１０ｃｈとについて、それらを平面図上に示した模式図である図５を用いて詳述する。
【００２９】
この実施例における両開口部は、図５に示されるように、スピーカユニット１の駆動軸ＫＪを中心として角度ピッチＰ＝２０°で位置する同一放射線上にあり、スピーカユニット１の開口部１ｈが、バックプレート１０ｃの開口部１０ｃｈよりも内側にあるように配設されている。
また、この実施例において、各開口部を、図の時計回り方向に、１ｈ−１，１ｈ−２，１ｈ−３，・・・，１ｈ−ｎ，及び１０ｃｈ−１，１０ｃｈ−２，・・・，１０ｃｈ−ｍ（本実施例では、ｎ＝ｍ＝１８）の符号を付与して区別することにする。
【００３０】
ここで、スピーカユニットの１８箇所の開口部１ｈの内、一つの開口部１ｈ−１に着目すると、この開口部１ｈ−１に最も近いバックプレート１０ｃの開口部１０ｃｈは、同一放射線上の開口部１０ｃ１−１となっている。
これは、断面部Ｓｅｃ２−Ｓｅｃ２に示すように、スピーカユニット１側の開口部とバックプレート１０ｃ側の開口部とにおいてそれぞれの開口縁部を結ぶ線分の長さＬが最も短くなる開口部（孔）を、互いに最も近い開口部（孔）と定義することによる。
従って、スピーカユニット１の開口部１ｈ−ｋに最も近いバックプレート１０ｃの開口部は、開口部１０ｃｈ−ｋとなる（１≦ｋ≦ｎ＝ｍ：ｋは整数）。
【００３１】
そして、バックプレート１０ｃの内面１０ｃ３とスピーカユニット１の外面１ｃとが一定の距離Ｈで配設されていた場合に、互いに最も近い孔同士が、
φＰＣ／φＣ＝αＨ  （α：定数〔正数〕）・・・（式１）
となる関係で設定されている。
【００３２】
この実施例では、各開口部１ｈ−ｋ，１０ｃｈ−ｋが円形であるから（式１）を満足すればよいが、各孔が円形でない場合には、それぞれの直径を開口面積で置き換えて拡張することができる。
具体的には、スピーカユニット１の開口部１ｈ−ｋの開口面積を、それぞれＳ１−ｋとし、バックプレート１０ｃの開口部１０ｃｈ−ｋの開口面積を、それぞれＳ１０ｃ−ｋとするならば、
（Ｓ１０ｃ−ｋ）／（Ｓ１−ｋ）＝αＨ  （α：定数〔正数〕，１≦ｋ≦ｎ：ｋは整数）・・・（式２）
となる関係でそれぞれが設定する。
【００３３】
これは、バックプレート１０ｃの開口部とスピーカユニット１の開口部とにおける互いに最も近い開口部同士において、その開口面積比が、距離Ｈに比例するように設定されているということである。
これについて図６を用いて詳述する。
【００３４】
図６は、振動板１ｓと、スピーカユニット１のフレーム１ｆにおける任意の開口部ＨＬ１付近の部分断面と、この開口部ＨＬ１に最も近いバックプレート１０ｃの開口部ＨＬ２付近の部分断面と、を示した模式図である。ここで、各開口部の形状は円形としておく。
【００３５】
この図６において、振動板１ｓの振動により、開口部ＨＬ１からは、単位時間Δｔにおいて、振動板１ｓの振動速度ｄと、開口部ＨＬ１の直径φＸ１より求まる断面積Ｓ１と、の積であって他の空間よりも昇圧された体積ＶＬ１の空気ＡＲ１が放出される。
開口部ＨＬ１から単位時間Δｔに放出されたこの空気ＡＲ１は、バックプレート１０ｃ側の開口部ＨＬ２に向かって矢印ＤＲ１のように広がりながら進行する。
空気ＡＲ１が、フレーム１ｆとバックプレート１０ｃとの間の距離Ｈ１２だけ進んだ状態を空気ＡＲ２とすると、この空気ＡＲ２の体積ＶＬ２は、その直径が進行距離Ｈ１２に対応して拡張した直径φＸ２となって拡大している。この空気ＡＲ２は、空気ＡＲ１よりも低密度で降圧された状態となっている。
【００３６】
そこで、この空気ＡＲ２を、単位時間Δｔでバックプレート１０ｃから外部へ放出するには、開口部ＨＬ２の直径を、φＸ２としておけばよい。
空気ＡＲ１の広がり度合いは、距離Ｈ１２に比例するものと考えてよいので、以上より、上記の（式１）及び（式２）が導かれる。
【００３７】
ここで、各式において、αの値の選択により左辺の開口面積比を１以下にしてもよい。
この場合、図６において、開口部ＨＬ２の開口面積が開口部ＨＬ１の開口面積よりも小さくなるので、開口部ＨＬ１から放出された空気ＡＲ１のすべてを、単位時間Δｔにおいて開口部ＨＬ２から放出しきれなくなる。
これはすなわち、内部空間Ｖ２の残存圧力により空間振動板１ｓに意図的に制動をかけることであるが、これは、このように振動板１ｓの振動に制動をかけることで音質が向上する場合があることによる。
本実施例は、この制動をかける構造となっている。
【００３８】
ところで、デザイン上の理由などで、バッフル板１０ａに対してバックプレート１０ｃを傾斜させる場合があり、その場合、スピーカユニット１の背面とバックプレート１０ｃとの距離が一定ではないものとなる。
この場合も、（式１），（式２）を同様に適用できるので図７を用いて説明する。
【００３９】
この図７は、図６に対して、バックプレート１０ｃ側の開口部ＨＬ４及び開口部ＨＬ６のスピーカユニット１からの距離が異なり、それぞれが距離Ｈ３４と、それより遠い距離Ｈ５６と、で設定された場合を模式的に示している。この図７においても各開口部の形状は便宜的に円形としておく。
【００４０】
この図７において、振動板１ｓの振動により、開口部ＨＬ３及び開口部ＨＬ５からは、単位時間Δｔにおいて、振動板１ｓの振動速度ｄと、開口部ＨＬ３及び開口部ＨＬ５の各直径φＸ１，φＸ５より求まる断面積Ｓ３及び断面積Ｓ５と、のそれぞれの積であって他の空間よりも昇圧された体積ＶＬ３，ＶＬ５の空気ＡＲ３，ＡＲ５が放出される。
【００４１】
開口部ＨＬ３，開口部ＨＬ５から単位時間Δｔに放出された各空気ＡＲ３，ＡＲ５は、バックプレート１０ｃ側の開口部ＨＬ４，ＨＬ６に向かって矢印ＤＲ２のように広がりながら進行する。
【００４２】
空気ＡＲ３が、フレーム１ｆとバックプレート１０ｃとの間の距離Ｈ３４だけ進んだ状態を空気ＡＲ４とすると、この空気ＡＲ４の体積ＶＬ４は、直径が進行距離Ｈ３４に対応して拡張した直径φＸ４となって拡大している。空気ＡＲ４は空気ＡＲ３よりも低密度で降圧された状態となっている。
そこで、この空気ＡＲ３を、単位時間Δｔでバックプレート１０ｃから外部へ放出するには、開口部ＨＬ４の直径を、φＸ４としておけばよい。
【００４３】
一方、空気ＡＲ５は、距離Ｈ３４よりもさらに長い距離Ｈ５６を進んでバックプレート１０ｃに到達する。
この到達した状態を空気ＡＲ６とすると、空気ＡＲ６の体積ＶＬ６は、直径が進行距離Ｈ５６に対応して拡張した直径φＸ６となって拡大している。空気ＡＲ６は、空気ＡＲ３はもとより、空気ＡＲ４よりも低密度で降圧された状態となっている。
そこで、この空気ＡＲ６を、単位時間Δｔでバックプレート１０ｃから外部へ放出するには、開口部ＨＬ６の直径を、距離Ｈ５６と距離Ｈ３４との比率に応じて開口部ＨＬ４よりも大きくした直径φＸ６としておけばよい。
【００４４】
図７においては、理解容易のため、各開口部近傍が平行になっている状態で説明したが、バックプレート１０ｃがフレーム１ｆに対して連続的に傾斜している場合の距離Ｈ３４，Ｈ５６は、開口部ＨＬ４，ＨＬ６の中心で設定すればよい。
【００４５】
スピーカユニット１の開口部１ｈと、ハウジング１側の開口部であるバックプレート１０ｃの開口部１０ｃｈとを、上述した構成にすることにより、スピーカユニット１とバックプレート１０ｃとの間の空間圧力分布が一定となり、開口部１ｈを通じて振動板１ｓに付与される制動力が均一となる。
従って、この構成を有するヘッドホン５０は、質の高い音声をユーザに提供することができる。
【００４６】
実施例のヘッドホン５０は、上述したように、バックプレート１０ｃにおける個々の開口部１０ｃｈの開口面積を、スピーカユニット１における個々の開口部１ｈの開口面積よりも小さくして、振動板１ｓに制動力を付与する構成としてあるが、さらに、バックプレート１０ｃにおける開口部１０ｃｈの総開口面積Ｓ１０ｔと隙間ＳＫＭの開口面積ＳＳとの和を、開口部１ｈの総開口面積Ｓ１ｔよりも小さくなるように設定してある。
すなわち、Ｓ１０ｔ＋ＳＳ＜Ｓ１ｔ  である。
【００４７】
これにより、振動板１ｓに対しては、スピーカユニット１の開口部１ｈに最も近い開口部１０ｃｈの面積設定によって振動板１ｓを均一に駆動させながら最適となる制動をかけつつ、さらに、ハウジング１０ｂの内部形状などに起因して生じる内部空間Ｖ２内の圧力分布の乱れを、隙間ＳＫＭをリング状に設けることによって平均化することができている。
この隙間ＳＫＭは、開口部１ｈに対して開口部１０ｃｈよりも遠い位置に設けているので、隙間ＳＫＭが振動板１ｓに与える制動への影響は十分に抑制されている。
【００４８】
本発明の実施例は、上述した構成及び手順に限定されるものではなく、本発明の要旨を逸脱しない範囲において変形例としてもよいのは言うまでもない。
【００４９】
実施例においては、オーバーヘッド型のヘッドホンについて説明したが、これに限るものではなく、インナーイヤー型や耳かけ型のヘッドホンなどにも適用できることは言うまでもない。
図５において、ハウジング１ｂ側であるバックプレート１０ｃの開口部１０ｃｈと、スピーカユニット１側の開口部１ｈとが同じ放射軸上にある場合を説明したが、同じ放射軸上になくてもよいのはもちろんである。また、開口部１０ｃｈあるいは開口部１ｈは、図５に示すような、すべてが同径の周上にあるものに限らない。
繰り返しになるが、各開口部の形状は限定されるものではない。
バックプレート１０ｃの開口部１０ｃｈとスピーカユニット１の開口部１ｈとの数は同じでなくてもよい。すなわち、ｎ≠ｍでもよい。
上述したように、互いに最も近接する開口部同士で少なくとも（式２）が満たされればよい。
【００５０】
変形例として、図８に示したように１０箇所に開口部１ｈ−１〜１ｈ−１０を有するスピーカユニット１と、図９に示したように６箇所に開口部１０ｃｈ−１〜１０ｃｈ−６を有するバックプレート１０ｃと、が組み合わされたヘッドホンにおける、互いに最も近接する開口部同士について図１０を用いて説明する。この図１０は、実施例における図５の平面図に相当する図である。
この図１０に示す各開口部の平面的配置から、各開口部同士の最短の距離に相当する平面投影線は太い線分ＬＡ〜ＬＪで示される。
これによれば、スピーカユニット１における開口部１ｈ−１に最も近接するバックプレート１０ｃの開口部１０ｃｈは、線分ＬＡで示されるように開口部１０ｃｈ−１であり、開口部１ｈ−２，１ｈ−３に最も近接するのは、それぞれ線分ＬＢ，ＬＣで示されるように開口部１０ｃｈ−２である。
以下、同様に線分ＬＤ〜ＬＪで結ばれた開口部同士が最も近接するもの同士となる。
【図面の簡単な説明】
【００５１】
【図１】本発明のヘッドホンの実施例を示す外観図である。
【図２】本発明のヘッドホンの実施例を説明するための斜視的断面図である。
【図３】本発明のヘッドホンの実施例における要部を説明するための図である。
【図４】本発明のヘッドホンの実施例における他の要部を説明するための平面図である。
【図５】本発明のヘッドホンの実施例を要部及び他の要部を説明するための模式図である。
【図６】本発明のヘッドホンの実施例における作用を説明するための図である。
【図７】本発明のヘッドホンの実施例における変形例の作用を説明するための図である。
【図８】本発明のヘッドホンの実施例における要部の変形例を説明するための図である。
【図９】本発明のヘッドホンの実施例における他の要部の変形例を説明するための図である。
【図１０】本発明のヘッドホンの実施例における要部及び他の要部を説明するための模式図である。
【符号の説明】
【００５２】
１  スピーカユニット
１ａ  外壁
１ｂｃ  ボイスコイル
１ｂｃｂ  ボイスコイルボビン
１ｃ  外面
１ｅ  エッジ
１ｆ  フレーム
１ｆ１  端部
１ｈ  開口部
１ｋ  基部
１ｍｇ  マグネット
１ｓ  振動板
１ｓ１  振動面
１ｔ  突出部
１ｔ１  内面
Ｄ１  振動方向
３  パッド部
４  コード
１０Ｌ，１０Ｒ，１０  スピーカ部
１０ａ  バッフル板
１０ａ１  放音孔
１０ａ２  環状壁部
１０ａ３  内壁
１０ｂ  ハウジング
１０ｂ１  孔
１０ｃ  バックプレート
１０ｃ１  フランジ部
１０ｃ２  取り付け鍔部
１０ｃ３  内面
１０ｃｈ  開口部
１１  ヘッドバンド部
１２  アーム部
１３  ジョイント部
１４  サブバンド部
５０  ヘッドホン
ＡＲ１〜ＡＲ６  空気
ｄ  振動速度
Ｈ，Ｈ１２，Ｈ３４，Ｈ５６  距離
ＨＬ１〜ＨＬ６  開口部
ＳＫＭ  隙間
Ｓ１，Ｓ１０ｃ  開口面積
Ｓ１ｔ，Ｓ１０ｔ  総開口面積
ＳＳ  （隙間ＳＫＭの）開口面積
Ｖ１  キャビティ
Ｖ２  内部空間
Ｖ３  外部空間
ＶＬ１〜ＶＬ６  体積
Δｔ  単位時間
【図１】
0005515204.tif 000002
【図２】
0005515204.tif 000003
【図３】
0005515204.tif 000004
【図４】
0005515204.tif 000005
【図５】
0005515204.tif 000006
【図６】
0005515204.tif 000007
【図７】
0005515204.tif 000008
【図８】
0005515204.tif 000009
【図９】
0005515204.tif 000010
【図１０】
0005515204.tif 000011